【手続補正書】
【提出日】平成16年11月26日(2004.11.26)
【手続補正１】
【補正対象書類名】明細書
【補正対象項目名】全文
【補正方法】変更
【補正の内容】
【書類名】明細書
【発明の名称】吸収性物品及びその製造方法
【特許請求の範囲】
【請求項１】体液を吸収して保持する吸収性物品において、
体液を吸収する吸収要素の中または裏面側に第１デザインシートを配し、この第１デザインシートは、前記吸収要素の占有域内位置において、排泄体液と接触すると視覚的変化が生じる第１デザイン部を有し、
第１のデザインシートより裏面側に第２デザイン部を有する前記第１デザインシートとは別の第２デザインシートが設けられ、
前記第１デザイン部の前記視覚的変化、及び第２デザイン部は、製品の裏面側から視認可能であり、かつ、前記第１デザイン部と第２デザイン部とは、裏面側から見て異なる位置に存在することを特徴とする吸収性物品。
【請求項２】第１デザイン部は印刷インキにより第１デザインシート基材に印刷され、その第１デザインシートの表面エネルギーがＪＩＳ  Ｋ  ６７６８に準じた測定で３４〜４２dyneである請求項１記載の吸収性物品。
【請求項３】体液を吸収して保持する吸収性物品の連続的製造方法において、
連続的にラインを流れる本体シートに対して、個別片としての第２デザインシートを組み込むとともに、本体シートに対してその流れの中で第１デザインシートを組み込み、次いで体液を吸収する吸収要素を組み込み、その後に個々の製品を得るものであって、
前記第１デザインシートは、吸収要素の裏面側に位置し、かつ前記吸収要素の占有域内位置において、排泄体液と接触すると視覚的変化が生じる第１デザイン部を有し、
前記第２のデザインシートは、第１のデザインシートより裏面側に位置し、第２デザイン部を有し、
前記製品化工程において、前記第１デザイン部の前記視覚的変化、及び第２デザイン部は、製品の裏面側から視認可能であり、かつ、前記第１デザイン部と第２デザイン部とは、裏面側から見て異なる位置に存在するように制御することを特徴とする吸収性物品の製造方法。
【請求項４】第１デザインシートは、液不透過の透湿性フィルムシートであり、５０ｍｍの試料を１ｋｇの荷重にて伸張させたときの伸張率が２０％以下である請求項３記載の吸収性物品の製造方法。
【請求項５】吸収性物品が紙おむつであって、その前身頃と後身頃とに分離して第２デザインシートがそれぞれ設けられ、前記第１デザイン部と各第２デザインシートの各第２デザイン部とは、裏面側から見て異なる位置に存在する請求項３または４に記載の吸収性物品の製造方法。
【発明の詳細な説明】
【０００１】
【発明の属する技術分野】
本発明は、使い捨て紙おむつや生理用ナプキンなどの吸収性物品に関し、詳しくは、尿などの体液の排泄の有無を外部から視覚的に判別することが可能な吸収性物品に係る。
【０００２】
【従来の技術】
使い捨て紙おむつにおいて、インキにより排尿の有無を知ることができるようにしたものとして、実公平３−４０２７２号、実開平３−５８４１６号、特開平９−２９９４０１号などがある。
【０００３】
【発明が解決しようとする課題】
しかし、従来は、一般的に排尿の有無を知るためのマークもしくはデザイン（いわゆるお知らせマーク）は、不透液性の裏面シートの吸収体側に印刷などにより施しており、製造工程においては、裏面シートと表面シートとの間に吸収体を介在させた状態で、隣接する吸収体間位置で切断し、個別製品化していた。したがって、いかなる位置において切断しても前記デザインが現れるように、前記デザインは、切断前の裏面シートに実質的に連続的には表示させている。
【０００４】
これに対して、展開型やテープ式と称される紙おむつにおいては、前身頃に前記テープを止着するまたは接合するためのいわゆるフロントターゲットテープ（またはシート）を裏面シートの外面に設けることがある。この場合、フロントターゲットシートはそのターゲットとしての目印及び興趣のためのマークやデザインを施している。
【０００５】
しかし、構造上、いわゆるお知らせマークと、フロントターゲットテープのデザインとは重なることになり、裏面から見たとき、母親にとっては美観に優れない商品であるとの印象を与え、幼児に対しては、特に境界部分においては、そのデザインに興味を示さないものとなる。
【０００６】
他方、裏面シートの実質的に全長にわたって特に水溶性のインキによりお知らせマークを施すと、着用者が汗をかいたとき、吸収体からはずれたフラップ部において、マーク用のインキ成分が溶けて表面シートを通して表面に染み出し、肌に付着してかぶれなどの原因ともなる。
【０００７】
したがって、本発明の課題は、製品のデザイン性に優れ、そのデザインの区別が明確になるので排尿の有無の視認性及び判別容易性に優れ、しかも、肌へのインクの染み出しがない構造とすることにある。さらに、かかる効果を示す製品を好適に得ることができる製造方法をも提供することにある。
【０００８】
【課題を解決するための手段】
上記課題を解決した本発明は次記のとおりである。
＜請求項１項記載の発明＞
体液を吸収して保持する吸収性物品において、
体液を吸収する吸収要素の中または裏面側に第１デザインシートを配し、この第１デザインシートは、前記吸収要素の占有域内位置において、排泄体液と接触すると視覚的変化が生じる第１デザイン部を有し、
第１のデザインシートより裏面側に第２デザイン部を有する前記第１デザインシートとは別の第２デザインシートが設けられ、
前記第１デザイン部の前記視覚的変化、及び第２デザイン部は、製品の裏面側から視認可能であり、かつ、前記第１デザイン部と第２デザイン部とは、裏面側から見て異なる位置に存在することを特徴とする吸収性物品。
【０００９】
（作用効果）
例として吸収体を代表的に挙げることができる体液を吸収する吸収要素の中または裏面側に第１デザインシートにあり、しかも吸収要素の占有域内位置において、排泄体液と接触すると視覚的変化が生じる第１デザイン部があるので、吸収要素を通る体液と確実に接触し、視覚的変化が確実に生じるようになる。
逆に、第１デザイン部は、吸収要素の占有域外にはないので、マーク用のインキ成分が溶けて表面シートを通して表面に染み出し、肌に付着してかぶれが生じることがない。
さらに、前記第１デザイン部と第２デザイン部とは、裏面側から見て異なる位置に存在するので、第１デザイン部は第２デザイン部と明確に区別して視認でき、排尿の有無を容易に判別できるものとなる。第２デザイン部は第１デザイン部と明確に区別して視認でき、第２デザインシートがフロントターゲットテープであるとき、テープのターゲット位置を容易に判断でき、装着が容易となる。
【００１０】
＜請求項２項記載の発明＞
第１デザイン部は印刷インキにより第１デザインシート基材に印刷され、その第１デザインシートの表面エネルギーがＪＩＳ  Ｋ  ６７６８に準じた測定で３４〜４２dyneである請求項１記載の吸収性物品。
【００１１】
（作用効果）
第１デザインシートの表面エネルギーがＪＩＳ  Ｋ  ６７６８に準じた測定で３４〜４２dyneであると、お知らせマークの視覚的変化が確実にあらわれ、インキの良好な印刷適性、さらにインキの第１デザインシート基材に対する良好な接着性または付着性が得られる。すなわち、表面エネルギーが大きいとインキの接着性に優れるが、過度に大きいと体液（たとえば尿）と接触しても消失などの視覚的変化を生じないことがある。
【００１２】
＜請求項３項記載の発明＞
体液を吸収して保持する吸収性物品の連続的製造方法において、
連続的にラインを流れる本体シートに対して、個別片としての第２デザインシートを組み込むとともに、本体シートに対してその流れの中で第１デザインシートを組み込み、次いで体液を吸収する吸収要素を組み込み、その後に個々の製品を得るものであって、
前記第１デザインシートは、吸収要素の裏面側に位置し、かつ前記吸収要素の占有域内位置において、排泄体液と接触すると視覚的変化が生じる第１デザイン部を有し、
前記第２のデザインシートは、第１のデザインシートより裏面側に位置し、第２デザイン部を有し、
前記製品化工程において、前記第１デザイン部の前記視覚的変化、及び第２デザイン部は、製品の裏面側から視認可能であり、かつ、前記第１デザイン部と第２デザイン部とは、裏面側から見て異なる位置に存在するように制御することを特徴とする吸収性物品の製造方法。
【００１３】
（作用効果）
連続的にラインを流れる本体シートに対して、個別片としての第２デザインシートを組み込むとともに、本体シートに対してその流れの中で第１デザインシートを組み込み、次いで体液を吸収する吸収要素を組み込み、その後に個々の製品を得るものでものである。
このとき、前記第１デザイン部と第２デザイン部とは、裏面側から見て異なる位置に存在する、すなわち重ならないようにするに際し、製品化工程において、本体シートに対して、個別片としての第２デザインシートを組み込むとともに、本体シートに対してその流れの中で第１デザインシートを組み込み、次いで体液を吸収する吸収要素を組み込み、製品化するものであるので、本体シートに対しての、第１デザインシート及び第２デザインシートの組み込みタイミングをそれぞれ制御する限り、第１デザイン部と第２デザイン部との重なりは容易に回避できるものとなる。
【００１４】
＜請求項４項記載の発明＞
第１デザインシートは、液不透過の透湿性フィルムシートであり、５０ｍｍの試料を１ｋｇの荷重にて伸張させたときの伸張率が２０％以下である請求項３記載の吸収性物品の製造方法。
【００１５】
（作用効果）
上記のように、デザインシートの組み込みタイミングは重要な制御要素であるが、デザインシートの伸張率が大きいと、組み込みタイミング制御のみでは、他のシート部材に対する位置合わせが狂ってしまうことが大いにある。しかるに、伸張率を２０％以下にすることにより、組み込みタイミング制御のみで位置合わせが十分に行うことができ、第１デザイン部と第２デザイン部との重なりは容易に回避できるものとなる。
【００１６】
＜請求項５項記載の発明＞
吸収性物品が紙おむつであって、その前身頃と後身頃とに分離して第２デザインシートがそれぞれ設けられ、前記第１デザイン部と各第２デザインシートの各第２デザイン部とは、裏面側から見て異なる位置に存在する請求項３または４に記載の吸収性物品の製造方法。
【００１７】
（作用効果）
前身頃及び後身頃の両者に第２デザインを設ける場合、一つの第２デザインシートの前後に区画して第２デザインを設けることも考えられるが、第２デザインシートの切断位置が、ライン流れ速度と整合しなくなった場合、第１デザインと第２デザインとが重なってしまうことがある。これに対して、前身頃と後身頃とに分離して第２デザインシートをそれぞれ設けるようにするが、第２デザインシートの組み込みタイミングを制御する限り、第１デザイン部と第２デザイン部との重なりは容易に回避できる。
【００１８】
【発明の実施の形態】
以下本発明の実施の形態を図面を参照しながらさらに詳説する。
「テープ式紙おむつの例」
＜第１例＞
本例は、紙おむつの背側両側端部に取り付けられたファスニング片を有し、このファスニング片の止着面にフック要素を有するとともに、前記紙おむつの裏面を構成する外面シートを不織布となし、紙おむつの装着に当り、前記ファスニング片のフック要素を前記不織布外面シートの表面の任意個所に係合可能となした紙おむつである。
【００１９】
また、前記不織布外面シートおよびその下側のシートの少なくとも一方に、前記ファスニング片のフック要素を止着する位置の目安となるターゲット印刷を、外部から視認可能なように施したものである。好適には、不織布外面シートの内側に実質的に液を透過させない不透液性シートを有し、この実質的に液を透過させない不透液性シートにターゲット印刷を施してある。また、不透液性シートの吸収体側面にお知らせマークがたとえば印刷などにより施されている。
【００２０】
図面を参照して具体例について説明すると、図示の紙おむつでは、不織布などからなる透液性シート１と、実質的に液を透過させない不透液性シート、たとえばポリエチレン等からなる完全に液を透過させない不透液性シート２との間に、綿状パルプ等からなる、たとえば長方形または好ましくは図示のように砂時計型のある程度剛性を有する吸収体３が介在されている。この吸収体３は吸収用の上下ティッシュペーパーで被覆することができ、吸収要素を構成している。
【００２１】
不透液性シート２は吸収要素より幅広の長方形をなし、その外方に砂時計形状の不織布などからなる外面シート１０が設けられている。
【００２２】
透液性シート１は吸収要素より幅広の長方形をなし、吸収要素の側縁より若干外方に延在し、不透液性シート２とホットメルト接着剤などにより固着されている（この固着部分を含めて本発明に関係する固着部分を符号＊で示す）。
【００２３】
紙おむつの両側部には、使用面側に突出する脚周り用起立カフスＢが形成され、この起立カフスＢは、実質的に幅方向に連続した通気性不織布などからなる起立シート４と、弾性伸縮部材、たとえば糸ゴムからなる一本のまたは図示のように複数本の脚周り用弾性伸縮部材５とにより構成されている。７は面ファスナーによるファスニング片である。
【００２４】
さらに、起立カフスＢは、起立シート４を内面側を短く段違いに内折りして２重に形成され、各脚周り用弾性伸縮部材５をホットメルト接着剤などにより固着した状態で包んでいる。
【００２５】
二重の起立シート４の内面は、透液性シート１の側縁と離間した位置において固着始端を有し、この固着始端から不透液性シート２の延在縁にかけて、幅方向外方部分がホットメルト接着剤などにより固着されている。二重の起立シート４の外面は、その下面において外面シート１０にホットメルト接着剤などにより固着されている。
【００２６】
その結果、二重の起立シート４の内面の、不透液性シート２への固着始端は、起立カフスＢの起立端を形成している。脚周りにおいては、この起立端より内側は、製品本体に固定されていない自由部分であり、製品の中央側に向かう起立部と、途中で折り返し反転して外側に向かう平面当り部とに機能的にかつ概念的に区分されている。
【００２７】
他方、図示しないが、長手方向前後端部において、ホットメルト接着剤などにより、前記起立部相当部（起立部の延長部）は、製品の中央側に向かう状態で製品に、具体的には透液性シート１及び不透液性シート２の外面に固定され、前記平面当り部相当部（平面当り部の延長部）が折り返し反転した状態で起立部相当部上に固定されている。
【００２８】
また、弾性伸縮部材５は、少なくとも１本が平面当り部にあることを基本形態とするが、特に弾性伸縮部材５は平面当り部の先端部にあることが好ましく、さらに、起立部にも弾性伸縮部材５を有することが好ましい。
【００２９】
最適な形態は、起立端近傍、折り返し近傍、及び平面当り部の先端部にあることである。平面当り部の先端部には、図示のように複数本有するのがさらに望ましい。起立部には、起立力を高めるために、さらに弾性伸縮部材５，５を設けることができる。図示の形態では、合計６本である。
【００３０】
紙おむつの装着時には、紙おむつが舟形に体に装着されるので、そして各弾性伸縮部材５，５…の収縮力が作用するので、図２に示すように、脚周りでは、各弾性伸縮部材５，５…の収縮力により起立カフスＢが起立する。
【００３１】
起立部で囲まれる空間は、尿または軟便の閉じ込め空間を形成する。この空間内に排尿されると、その尿は透液性シート１を通って吸収体３内に吸収されるとともに、軟便の固形分については、起立カフスＢの起立部がバリヤーとなり、その乗り越えが防止される。万一、起立部の起立遠位側縁を乗り越えて横に漏れた尿は、平面当り部によるストップ機能により横漏れが防止される。
【００３２】
本形態において、各起立カフスＢを形成する起立シート４は、透液性でなく実質的に不透液性（半透液性でもよい）であるのが望ましい。また、起立シート４を形成する透液性シート（たとえば不織布）に対してシリコン処理などにより液体をはじく性質となるようにしてもよい。いずれにしても、起立シート４及び外面シート１０は、それぞれ通気性があり、かつ起立シート４及び外面シート１０は、それぞれ耐水圧が１００ｍｍＨ2Ｏ以上のシート、特に不織布であるのが好適である。これによって、図２および３に示すように、製品の幅方向側部において通気性を示すものとなり、着用者のムレを防止できる。
【００３３】
特に不織布を用いることで、装着時において音が殆どしないとともに、布様の感触を与える使い捨て紙おむつが得られる。外面シート１０、透液性シート１および起立シート４を構成する不織布の素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブロー法、ニードルパンチ法等の適宜の加工方法に得られた不織布を用いることができる。
【００３４】
本発明の形態においては、離間部において、不透液性シート２及び外面シート１０の両者が重なっているので、起立カフスＢの展開起立操作において、シートの破断がない。
【００３５】
＜ファスニング片の紙おむつ前身頃への止着について＞
本例では、ファスニング片７として、面ファスナーを用いることで、不織布からなる外面シート１０に対して、メカニカルに止着できる。したがって、いわゆるターゲットテープを省略することもでき、かつ、ファスニング片７による止着位置を自由に選択できる。
【００３６】
ファスニング片７は、図５にも示されているプラスチック、ポリラミ不織布、紙製などのファスニング基材７２の基部が外面シート１０にたとえば接着剤により接合されており、先端側にフック要素７Ａを有する。フック要素７Ａはファスニング基材７２に接着剤７３により接合されている。フック要素７Ａは、その外面側に多数の係合片７１を有する。係合片７１の形状としては、レ字状、Ｊ字状、マッシュルーム状、Ｔ字状等のものが存在するが、いずれでもよいが、Ｔ字状のものを好ましく使用できる。フック要素７Ａより先端側に仮止め接着剤部７Ｂを有する。製品の組立て末期において、仮止め接着剤部７Ｂが起立シート４に接着されることによりファスニング片７の先端側の剥離を防止するようにしてある。使用時には、その接着力に抗して剥離し、ファスニング片７の先端側を前身頃に持ち込むものである。仮止め接着剤部７Ｂより先端側はファスニング基材７２が露出して摘みタブ部とされている。
【００３７】
さて、図１、図３及び図４が特に参照されるように、前身頃の開口部側には、外面シート１０の内面側に、本発明の第２デザインシートとしてのターゲット印刷シート２０が設けられ、ファスニング片７のフック要素７Ａを止着する位置の目安となる第２デザイン部２１としてのターゲット印刷がなされ、外部から外面シート１０を通して視認可能なように施されている。ターゲット印刷シート２０または第２デザイン部は、その縦方向長さが１０〜４００ｍｍとし且つ胴回り方向長さが５０〜５００ｍｍとすることができる。ターゲット印刷は、グラビア印刷またはフレキソ印刷により行なうことができる。
【００３８】
少なくともこのターゲット印刷対応部分において、実施の形態では全面において、外面シート１０の外面から不透液性シート２に対して、たとえば、単位面積当たり３〜２０％のエンボスを千鳥状形態で施し、かつこのエンボス部分において外面シート１０と不透液性シート２とを１６０℃以下の温度で熱融着により接合してある。この熱融着エンボス部１０Ａを図４に示してある。外面シート１０の裏面は、全体または少なくともこのターゲット印刷対応部分において起毛してあることが望ましい。
【００３９】
他方、外面シート１０とターゲット印刷シート２０とは、ホットメルト接着剤により全面接着されておらずホットメルト接着剤による接着領域１１，１１…が離間してたとえばストライプ状に離間した状態で接合してある。
【００４０】
第２デザイン部２１の形態は適宜であるが、(1)〜(3)の記号や、ゾーンごとの色分け、あるいは図柄の変更などにより、幅方向の位置が判るようにするのが望ましい。また、ターゲット印刷シート２０全体が周囲の色と区別できる配色にするのが望ましい。ターゲット印刷シート２０の厚さは１０〜５０μｍが望ましい。
【００４１】
不織布からなる外面シート１０は、単繊維または長繊維を繊維素材とし、そのデニール数が２.５ｄ以下であるのが望ましい。
【００４２】
かかる外面シート１０表面とフック要素７Ａとのせん断力が０．８Ｎ／ｃｍ2以上であり、剥離力が１Ｎ／２５ｍｍ以上であることが望ましい。また、相互に止着されたファスニング片７の止着面と不織布外面シート１０の表面とを剥離した時の音が１２．０ソーン以下であるのが望ましい。
【００４３】
ところで、メカニカルファスナーのフック要素を外面シート１０に係合させる場合、変形例として挙げる図１３に示す形態を採ることができる。すなわち、ターゲット印刷シート２０の裏面側に間欠的に、たとえば長手方向に延びるストライプ状に、シリコン処理などにより非接着処理域２０Ａ，２０Ａ…を形成したうえで、外面シート１０とホットメルト接着剤ＨＭにより接合する。その結果、外面シート１０は、ターゲット印刷シート２０と非接着処理域２０Ａ，２０Ａ…においては接着されないので、フック要素７Ａを外面シート１０に係合させるときにおいて、外面シート１０が非接着処理域２０Ａ，２０Ａ…においてある程度自由に動くことが可能となり、変形しながらフック要素７Ａと良好に係合するようになる。ホットメルト接着剤ＨＭはスパイラル塗布やベタ塗布など適宜でよい。必要ならば、外面シート１０の使用面側の面に非接着処理域を形成することも可能である。
【００４４】
＜第２例＞
第１例においては、外面シート１０の内面側に、第２デザインシートとしてのターゲット印刷シート２０が設けられているが、図６に示すように、外面シート１０の外面側に設けてもよい。この場合、外面シート１０と不透液性シート２との間にシートを介在させないことができる。外面シート１０の外面側にターゲット印刷シート２０を設ける場合、そのシートは、外面にフック要素が係合するループ状繊維素材を有するメス素材シートとすることが好ましい。
【００４５】
＜おしらせマークについて＞
他方、吸収する吸収要素の中または裏面側に第１デザインシートを配し、この第１デザインシートは、前記吸収要素の占有域内位置において、排泄体液と接触すると視覚的変化が生じる第１デザイン部を有する。実施の形態では、吸収体３の裏面側の不透液性シート２を第１デザインシートとし、その使用面側の面に、第１デザイン部３０がたとえば印刷により形成されている。
【００４６】
図７に示すように、第１デザイン部３０は、吸収体３の領域内に位置し、かつ、第２デザイン部２１とは、裏面側から見て異なる位置に存在する。
【００４７】
第１デザイン部３０は、排泄体液と接触すると視覚的変化が生じるもので、たとえば尿と接触すると、色が消えるもの、色が変化するもの、色が現出するものなど適宜公知のものを採用できる。
【００４８】
第１デザイン部３０は、前記視覚的変化が、外面シート１０及び不透液性シート２を通して、製品の裏面側から視認可能である。
【００４９】
第１デザイン部３０は、少なくとも股下部に位置するのが望ましい。第１デザイン部３０は、前後方向及び又は幅方向に適宜のマーク（図、文字、記号など）を分散または関連付けて表し、そのデザイン領域の前後方向長さは１５０〜３５０ｍｍ、幅方向の長さは３０〜１００ｍｍが望ましい。
【００５０】
第１デザイン部３０は印刷インキにより第１デザインシート（不透液性シート２）基材に印刷され、その第１デザインシートの表面エネルギーがＪＩＳ  Ｋ  ６７６８に準じた測定で３４〜４２dyneであるものが望ましい。この数値範囲内であると、お知らせマークの視覚的変化が確実にあらわれ、インキの良好な印刷適性、さらにインキの第１デザインシート基材に対する良好な接着性または付着性が得られる。
【００５１】
「パンツ型紙おむつの例」
この実施形態に係るパンツ型使い捨ておむつは、図８に示すように、可撓性の外形シート５１と、この外形シート５１内面に固定され、股下５４を中心として縦方向（前後方向）に延在する吸収要素ＡＢとを主体として構成されている。
【００５２】
外形シート５１は２枚または３枚以上の通気・撥水性の不織布を積層固定したものである。ウエスト部、胴回り部、股下部において、外形シート５１，５１間には糸ゴムなどの収縮部材９１が設けられ、フィット性を高めている。
【００５３】
この外形シート５１と吸収主体６０とを重ね合わせた後の製造工程の最終段階で、前身頃と後身頃との両側縁部の長手方向全体を接合部９０にて超音波シールや熱溶融などの手段により接合することにより、図１０に示されているようにウエスト開口部ＷＯおよび左右一対のレッグ開口部ＬＯを形成してある。
【００５４】
吸収主体６０は、図９にも示すように、不織布などからなり着用者の肌に直接触れる長方形の透液性トップシート６１と、綿状パルプを主体とし、ある程度の剛性を有する（半剛性の）長方形の吸収体６３とその上下面全体を包む額巻きされた長方形のクレープ紙６４とからなる吸収要素ＡＢと、この吸収要素ＡＢの裏面において両側縁近傍まで達する、ポリエチレンプラスチックフィルムなどからなる長方形の不透液性バックシート６２とを有し、前記透液性トップシート６１は、吸収要素ＡＢの両側縁を周り込んで裏面に達し、不透液性バックシート６２に重ねられており、これらの各要素はホットメルト接着剤による接着により一体化されたものである。必要に応じて、図示のように透液性トップシート６１とクレープ紙６４との間に透液性セカンドシート６１Ｓを介在させることができる。この吸収主体６０は、ほぼ裏面全体が前記外形シート５１に対して、ホットメルト接着剤により接着して一体化してある。
【００５５】
吸収主体６０の両側部には、使用面側に突出する脚周り起立カフスＣ，Ｃがそれぞれ形成され、この起立カフスＣは、実質的に幅方向に連続した起立シート８０と、伸縮部材、たとえば糸ゴムからなる一本のまたは図示のように複数本の伸縮部材８１，８１…とにより構成されている。
【００５６】
さらに詳細には、起立カフスＣは、起立シート８０を２重に形成され、各伸縮部材８１，８１…をホットメルト接着剤などにより固着した状態で包んで形成されたものである。各起立カフスＣ，Ｃを形成する起立シート８０は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。
【００５７】
二重の起立シート８０の内面は、吸収要素ＡＢ及び不透液性バックシート６２の裏面側に回り込んでホットメルト接着剤などにより固着されている。その結果、二重の起立シート８０のこの固着始端は、起立カフスＣの起立端を形成している。  この起立端より先端側は、製品本体に固定されていない自由部分である。
【００５８】
他方、長手方向前後端部において、ホットメルト接着剤などにより、前記自由部分は、その先端が物品の中央側に向かう状態で物品に、具体的には透液性シート６１外面に固定されている。
【００５９】
＜デザイン及びお知らせマークについて＞
さて、本実施の形態においても、体液を吸収する吸収要素の中または裏面側に第１デザインシートを配し、この第１デザインシートは、前記吸収要素の占有域内位置において、排泄体液と接触すると視覚的変化が生じる第１デザイン部を有し、第１のデザインシートより裏面側に第２デザイン部を有する前記第１デザインシートとは別の第２デザインシートが設けられている。
【００６０】
すなわち、不透液性バックシート６２が第１デザインシートとされ、その使用面側の面に、第１デザイン部３０がたとえば印刷により形成されている。
【００６１】
他方、不透液性バックシート６２と外形シート５１との間に、前身頃及び後身頃にそれぞれ第２デザインシート１００Ａ，１００Ｂが介在されている。第２デザインシート１００Ａ，１００Ｂには、適宜のデザインの第２デザイン部１０１Ａ，１０１Ｂがそれぞれ形成されている。
【００６２】
図１１に示すように、第１デザイン部３０は、吸収体６３の領域内に位置し、かつ、第２デザイン部第２デザイン部１０１Ａ，１０１Ｂとは、裏面側から見て異なる位置に存在する。
【００６３】
第１デザイン部３０は、排泄体液と接触すると視覚的変化が生じるもので、たとえば尿と接触すると、色が消えるもの、色が変化するもの、色が現出するものなど適宜公知のものを採用できる。
【００６４】
第１デザイン部３０は、前記視覚的変化が、外形シート５１及び不透液性バックシート６２を通して、製品の裏面側から視認可能である。
【００６５】
第１デザイン部３０は、少なくとも股下部に位置するのが望ましい。第１デザイン部３０は、前後方向及び又は幅方向に適宜のマーク（図、文字、記号など）を分散または関連付けて表し、そのデザイン領域の前後方向長さは１５０〜３５０ｍｍ、幅方向の長さは３０〜１００ｍｍが望ましい。
【００６６】
第１デザイン部３０は印刷インキにより第１デザインシート（不透液性バックシート６２）基材に印刷され、その第１デザインシートの表面エネルギーがＪＩＳ  Ｋ  ６７６８に準じた測定で３４〜４２dyneであるものが望ましい。この数値範囲内であると、お知らせマークの視覚的変化が確実にあらわれ、インキの良好な印刷適性、さらにインキの第１デザインシート基材に対する良好な接着性または付着性が得られる。  
【００６７】
「製造方法について」
次いで、本発明の紙おむつの連続的製造方法について説明する。
＜テープ式紙おむつの製造方法例＞
図１２に示すものは、上記の第２例のテープ式紙おむつ、すなわち、外面シート１０の外面側に第２デザインシートとしてのターゲット印刷シート２０を設けた紙おむつの製造方法例であり、本例においては外面シート１０を本発明の本体シートとしており、したがって外面シート１０をラインに連続的に流す。
【００６８】
この外面シート１０に、第２デザイン部２１が予め印刷された連続するターゲット印刷シート素材２０Ａを、第１カメラ（光学的センサ）２０１部位を通した後、ドラムカッター２００により切断してターゲット印刷シート２０として個別化し、第１貼り合せロール２０４との間で貼り合せることにより、本発明における、本体シートに対してその流れの中で第２デザインシートの組み込みが行われる。次いで、この貼り合わせシートは、第２貼り合せロール２０３に導く。
【００６９】
第１デザインシートとしての不透液性シート素材２Ａには予め第１デザイン部３０が印刷されており、第２カメラ２０２部位を通した後、ドラムカッター２０５により切断して個別化し、これを第２貼り合せロール２０３に導く。不透液性シート２は、第２貼り合せロール２０３部位において、外面シート（本体シート）１０とホットメルト接着剤などを用いて貼り合せられることにより、本発明における、本体シートに対してその流れの中で第１デザインシートの組み込みが行われる。
【００７０】
その後、吸収要素としての個別の吸収体３を、間欠的に不透液性シート２上に供給し、続いて透液性シート１を供給し、これらを適宜に位置にてホットメルト接着剤により接合する。ラインの最終段階で、カッター２０６により切断し、個々の製品を得る。
【００７１】
この場合において、本体シートとしての外面シート１０は一定速度で搬送される。この外面シート１０に対するターゲット印刷シート２０の貼着位置を制御するために、第１カメラ２０１により第２デザインを検出し、ドラムカッター２００へ導くターゲット印刷シート素材２０Ａの送り速度を制御する。他方で、不透液性シート素材２Ａについては、第２カメラ２０２により第１デザインを検出し、不透液性シート素材２Ａの送り速度を制御する。
【００７２】
両送り制御系は相互に関連しており、これによって、前記第１デザイン部と第２デザイン部とは、裏面側から見て異なる位置に存在するように制御することができる。
【００７３】
＜他の事項＞
上記各例において、第１デザインシートは、液不透過の透湿性フィルムシートであり、５０ｍｍの試料を１ｋｇの荷重にて伸張させたときの伸張率が２０％以下であるのが望ましい。伸張性素材では、デザインの位置決めが困難となる。
【００７４】
他方、テープ式紙おむつ及びパンツ型紙おむつは、通常、多数枚がポリエチレン袋などのパッケージ内に収納されて販売に供される。この種の場合、１パッケージ内において、第１デザイン、及び／または第２デザインを異ならせることが着用者（幼児）、及び装着者（親）にとって興味のあるものとなる。また、１パッケージ内において、第１デザインと第２デザインとの組み合わせを異ならせることもできる。前身頃と後身頃とに分離して第２デザインシートを設ける場合、前身頃と後身頃とで、第２デザインシートの第２デザインの組み合わせを異ならせることもできる。
【００７５】
【発明の効果】
以上のとおり、本発明によれば、製品のデザイン性に優れ、そのデザインの区別が明確になるので排尿の有無の視認性及び判別容易性に優れたものとなる。しかも、肌へのインクの染み出しがない構造となるなどの利点がもたらされる。
【図面の簡単な説明】
【図１】
本発明のテープ式紙おむつの展開図である。
【図２】
その２−２線矢視図である。
【図３】
その３−３線矢視図である。
【図４】
裏面の前身頃要部破断正面図である。
【図５】
止着テープ部の説明図である。
【図６】
他のテープ式紙おむつの図１の３−３線相当位置の矢視図である。
【図７】
テープ式紙おむつの裏面側からの展開状態正面図である。
【図８】
パンツ型紙おむつの実施の形態の展開状態における使用面側からの平面図である。
【図９】
その前身頃部分の断面図である。
【図１０】
パンツ型紙おむつの製品の使用状態斜視図である。
【図１１】
パンツ型紙おむつの裏面側からの展開状態正面図である。
【図１２】
テープ式紙おむつの製造工程の概要図である。
【図１３】
テープ式紙おむつの第１例における変形例の横断面図である。
【符号の説明】
１…透液性シート、２…不透液性シート（第１デザインシート）、３…吸収体、１０…外面シート、７…ファスニング片、２０…ターゲット印刷シート、２１…第２デザイン部、３０…第１デザイン部、５１…外形シート、６０…吸収主体、６１…透液性トップシート、６２…不透液性バックシート（第１デザインシート）、１００Ａ，１００Ｂ…第２デザインシート、１０１Ａ，１０１Ｂ…第２デザイン部、Ｂ，Ｃ…起立カフス。
【手続補正２】
【補正対象書類名】図面
【補正対象項目名】図４
【補正方法】変更
【補正の内容】
【図４】
2003199791.tif 000001
【手続補正３】
【補正対象書類名】図面
【補正対象項目名】図７
【補正方法】変更
【補正の内容】
【図７】
2003199791.tif 000002
【手続補正４】
【補正対象書類名】図面
【補正対象項目名】図１２
【補正方法】変更
【補正の内容】
【図１２】
2003199791.tif 000003